(57)【特許請求の範囲】
【請求項１】
腹側部と背側部と該両部の間に位置する股下部とからなり、肌当接面側に配置されるトップシート、非肌当接面側に配置されるバックシート、及び該両シートの間に介在され前記腹側部から背側部にかけて配置される吸収体を備えた、腹側部から股下部を介して背側部にかけてみた長手方向とこれに直交する幅方向を有する吸収性物品であって、
前記バックシートは吸収体側の透湿シート及びその非肌当接面側を被覆する２層以上の不織布層を備えた外装シートを有し、２層の前記不織布層の間には複数条の弾性部材が前記吸収性物品の長手方向に延びて配列され、かつその両不織布層は前記弾性部材を介して接合され、他方、その弾性部材がある位置には前記外装シートと前記透湿シートとを接合する吸収性物品長手方向に延びる接合部が配列され、前記弾性部材がなく前記透湿シートと前記外装シートとが接合されていない領域に、前記透湿シートと前記外装シートとを介して前記吸収体から吸収性物品外部へつながる透湿性を示す長手方向に延びる透湿領域がある吸収性物品。
【請求項２】
前記複数の弾性部材が配された透湿ギャザー領域を幅方向に４分割し、中央に存在する２つの幅方向中央領域と、その左右外側に存在する２つの幅方向外方領域では、前記弾性部材の最大伸張率について、吸収性物品の幅方向において外側に配されたものより内側に配されたものが高くされている請求項１に記載の吸収性物品。
【請求項３】
前記複数の弾性部材が前記吸収性物品の少なくとも股下部の幅方向中央に配設された請求項１又は２のいずれかに記載の吸収性物品。
【請求項４】
前記複数条の弾性部材が配設された領域は吸収性物品の幅方向において前記吸収体の配置された全域にわたり、該弾性部材配設領域と前記吸収体の重合領域Ｗｋにおいて、前記弾性部材がなく前記透湿シートと前記外装シートとが接合されていない前記透湿領域の面積の総和（Σｅｎ）が、前記外装シートの間が前記弾性部材を介して接合された領域及び、前記透湿シートと前記外装シートとが接合された領域の総和（Σｄｎ）より広くなるようにされた請求項１〜３のいずれか１項に記載の吸収性物品。
【請求項５】
腹側部と背側部と該両部の間に位置する股下部とからなり、肌面側に配される透湿シートとその非肌面側を被覆する２層以上の不織布層からなる外装シートを有し、腹側部から股下部を介して背側部にかけてみた長手方向とこれに直交する幅方向を有する着用カバーであって、
２層の前記不織布層の間には複数条の弾性部材が前記吸収性物品の長手方向に延びて配列され、かつその両不織布層は前記弾性部材を介して接合され、他方、その弾性部材がある位置には前記外装シートと前記透湿シートとを接合する吸収性物品長手方向に延びる接合部が配列され、前記弾性部材がなく前記透湿シートと前記外装シートとが接合されていない領域に、前記透湿シートと前記外装シートとを介して前記吸収体から吸収性物品外部へつながる透湿性を示す長手方向に延びる透湿領域がある着用カバー。
【請求項６】
前記着用カバーの内方に、内部に吸収体を有する吸収パッドを配置して装着したときに、前記複数条の弾性部材が配設された領域は前記吸収パッドの吸収体の幅方向においてその全域にわたり、該弾性部材配設領域と前記吸収体の重合領域Ｗｋにおいて、前記弾性部材がなく前記透湿シートと前記外装シートとが接合されていない前記透湿領域の面積の総和（Σｅｎ）が、前記外装シートの間が前記弾性部材を介して接合された領域及び、前記透湿シートと前記外装シートとが接合された領域の総和（Σｄｎ）より広くなるようにされた請求項５に記載の着用カバー。
【発明の詳細な説明】
【技術分野】
【０００１】
本発明は、使い捨ておむつ、生理用ナプキン、失禁パッド、失禁ライナ等の吸収性物品に関する。
【背景技術】
【０００２】
使い捨ておむつの着用における快適さを向上させる要素として、おむつを構成する素材の透湿性を高めることが挙げられる。例えば、吸収体の非肌面側にあるバックシートに透湿性を有するフィルム材を用いたり、さらにその非肌面側にある外装材を上記バックシートの透湿性を損なわない不織布等で構成したりする等の工夫がなされてきた。他方、着用時の快適さを向上させる別の要素として、身体に対するおむつのフィット性が挙げられる。このフィット性を高めることにより、排泄物の防漏性を向上させることはもとより、理想的には違和感のない通常の下着のような穿き心地を実現したい。かかる観点からみて、中でも成人用のおむつにおいては、着用者の排泄液の量も多く、内部の吸収体が大きく厚くなりがちなため、上述した透湿性等とともに、良好なフィット性を同時に高めることが容易ではない。
【０００３】
特許文献１及び２は、股下部のフィット性を高めるために、おむつの吸収コアと裏面シートとの間に弾性部材を接着固定したものを開示している。
特許文献３はパンツと、パンツの内面に位置する吸液性パッドとから構成され、縦方向へ延びる伸縮性弾性部材がパッドを形成する裏面シートの外面に伸長状態で取り付けられ、それら弾性部材の収縮によってパッドがパンツの内面から上方へ持ち上げられる使い捨ておむつを開示する。これにより、パッドを着用者の肌に密着させることができ、パンツがずれ下がったとしても、これと独立してパッドの密着状態を維持することができるとされる。
【先行技術文献】
【特許文献】
【０００４】
【特許文献１】特開昭５９−６６５０１号公報
【特許文献２】特開昭６３−２８８２０１号公報
【特許文献３】特開２００３−６２００９号公報
【発明の概要】
【発明が解決しようとする課題】
【０００５】
特許文献１と２開示の技術では、吸収コアと裏面シートとを全面で接着剤により接着することを前提としているため、この部分での透湿性は失われる。また、吸収体と弾性部材とが直接接着されているため、その接着面に吸収した体液が移行して接触し、これにより弾性部材が剥離することが考えられる。また、特許文献３の技術では、パンツ部分とパッド部分との動きが分断されるため、典型的には大人用おむつのようにおむつの上にズボン等を着用する場合に、かえって内部のパッドが肌に強く当たりすぎ、吸収パッドが臀裂にくい込んだり、股下部においてズボンと着用者の間でよれてしまうことがある。
本発明は、高い透湿性を有し、ムレにくく、かつ、身体に沿った高いフィット性を有する吸収性物品の提供を課題とする。特に、柔軟性の低い厚めの吸収体を配した吸収性物品であっても高い透湿性とフィット性とを同時に満足して実現することができる吸収性物品の提供を課題とする。
【課題を解決するための手段】
【０００６】
本発明は、腹側部と背側部と該両部の間に位置する股下部とからなり、肌当接面側に配置されるトップシート、非肌当接面側に配置されるバックシート、及び該両シートの間に介在され前記腹側部から背側部にかけて配置される吸収体を備えた、腹側部から股下部を介して背側部にかけてみた長手方向とこれに直交する幅方向を有する吸収性物品であって、
前記バックシートは吸収体側の透湿シート及びその非肌当接面側を被覆する２層以上の不織布層を備えた外装シートを有し、２層の前記不織布層の間には複数条の弾性部材が前記吸収性物品の長手方向に延びて配列され、かつその両不織布層は前記弾性部材を介して接合され、他方、その弾性部材がある位置には前記外装シートと前記透湿シートとを接合する吸収性物品長手方向に延びる接合部が配列され、前記透湿シートと前記外装シートとを介して前記吸収体から吸収性物品外部へつながる透湿性を示す長手方向に延びる透湿領域がある吸収性物品を提供するものである。また、本発明は、腹側部と背側部と該両部の間に位置する股下部とからなり、肌面側に配される透湿シートとその非肌面側を被覆する２層以上の不織布層からなる外装シートを有し、腹側部から股下部を介して背側部にかけてみた長手方向とこれに直交する幅方向を有する着用カバーであって、２層の前記不織布層の間には複数条の弾性部材が前記吸収性物品の長手方向に延びて配列され、かつその両不織布層は前記弾性部材を介して接合され、他方、その弾性部材がある位置には前記外装シートと前記透湿シートとを接合する吸収性物品長手方向に延びる線状接合部が配列され、前記透湿シートと前記外装シートとを介して前記吸収体から吸収性物品外部へつながる透湿性を示す長手方向に延びる透湿領域がある着用カバーを提供するものである。
【発明の効果】
【０００７】
本発明の吸収性物品は、高い透湿性を有し、ムレにくく、かつ、身体に沿った高いフィット性を有するという優れた作用効果を奏する。特に、柔軟性の低い厚めの吸収体を配した吸収性物品であっても高い透湿性とフィット性とを同時に満足して実現することができる。
【図面の簡単な説明】
【０００８】
【図１】本発明における一実施形態としての使い捨ておむつを着用する直前（片側のファスニングテープを係着する前）の形状を模式的に示す一部切欠斜視図である。
【図２】図１に示した使い捨ておむつの肌当接面側からみた一部切欠展開平面図である。
【図３】図２のＩＩＩ―ＩＩＩ線に沿った拡大断面図である。
【図４】本発明の使い捨ておむつを着用した状態で正中線の位置にて断面を示した断面模式図である。
【発明を実施するための形態】
【０００９】
以下、本発明についてその好ましい実施形態を示し、図面に基づき詳細に説明する。
図１は、本発明における吸収性物品の一実施形態としての成人用使い捨ておむつを着用する直前（片側のファスニングテープを係着する前）の形状を模式的に示す一部切欠斜視図である。図２は図１に示した使い捨ておむつの肌当接面側からみた一部切欠展開平面図であり、図３は図２のＩＩＩ―ＩＩＩ線に沿った断面図である。
【００１０】
本実施形態における使い捨ておむつ１０は、腹側部Ｆと背側部Ｒと該両部の間に位置する股下部Ｃとからなり、肌当接面側に配置される液透過性のトップシート１、非肌当接面側に配置される防漏性のバックシート２、及び該両シートの間に介在される吸収体３からなる。本実施形態における使い捨ておむつ１０は、着用時の形状でウエスト開口部Ｗｏと一対のレッグ開口部Ｌｏとを構成する。当該おむつの本体と面内の領域として区分すると吸収体３の配置された領域とこの外方に延在するフラップ部とから構成される。おむつ長手方向両端部には、これに直交する幅方向に左右一対の前側サイドフラップＳｆと後側サイドフラップＳｒとが形成されており、後側サイドフラップＳｒのそれぞれ幅方向外方縁部にはファスニングテープ４を有する。着用時は背側部Ｒを着用者の背側に配し、さらに股下部Ｃが股間に沿うようにわたし、腹側部Ｆを着用者の下腹部にあて装着する。次いで、固定のために、後側サイドフラップＳｒを背中の方から腹側にわたし、この後側サイドフラップＳｒを前側サイドフラップＳｆ上に重ね合わせる。ファスニングテープ４をランディングテープ（図示せず）に押圧して、ファスニングテープ４に設けられたメカニカルファスナー等（図示せず）で係着させる。なお、本実施形態においては吸収体３が長手方向において腹側はおむつ端縁に届かずやや短くされており、フロントフラップが形成されている。本実施形態の使い捨ておむつ１０における「長手方向」とは、図２中のＸ方向であり、着用時に、その方向を下腹部から臀部にかけて装着し、「幅方向」とは、図２中のＹ方向であり、その方向を左右の脚をつなぐラインに向けて配して着用する。なお、図２中、一点鎖線で示した円は排尿ポイント７２’及び排便ポイント７３’を示しており、これらは着用者の身体における排尿ポイント７２（外尿道口）及び排便ポイント７３（肛門）（図４参照）とそれぞれ略一致する領域である。
【００１１】
上記トップシート１、透湿性バックシート２及び吸収体３の材料に関する詳細は後述するが、本実施形態においてトップシート１は、排泄された体液を速やかに吸収し、吸収体に伝達する観点と、肌触りのよさの観点から親水性のエアスルー不織布を用いている。また、吸収体３としてはパルプ繊維や吸収性ポリマー等で構成された吸収コア（図示せず）を用い、吸収コアの非肌当接面側と透湿性シートとを、その透湿性が可能な限り損なわれないよう、接着部と非接着部が共存するように接合する。接着方法としては、接着剤を複数条の線を並行するように塗工する方法（ビード塗工）、ドット状に塗工する方法、らせん状に塗工する方法（スパイラル塗工）、多孔状に塗工する方法（ポーラスコート法）等が挙げられる。吸収コアと透湿性シートが重なる領域における透湿性シートの面積の１０〜８０％、好ましくは３０〜６０％が接着部であることが好ましい。このようにすることで、吸収体３と透湿シート２１との間の良好な透湿性が確保されている。なお、本実施形態において「透湿」とは液体の水は通さず気化した水（水蒸気）が透過することをいい、さらに空気が透過する「通気」の概念を含むものであってもよい。なお、吸収コアは、吸収性材料（吸収ポリマー及びパルプ等）をパルプ製シートや不職布製のシート等の被覆シートで包み込んだ構成でも良い。この場合には、吸収コアの被覆シートと透湿性シートの間が上述したように接合される。
【００１２】
図３は図２のＩＩＩ―ＩＩＩ線に沿った拡大断面図であり、図３（ａ）中のＴの領域をさらに拡大したのが図３（ｂ）である。透湿性バックシート２は、肌当接面側の透湿シート２１とその非肌当接面側を被覆し、透湿性を有する不織布層からなる外装シート２２とを有する。本実施形態における外装シート２２は不織布製の肌面側外装シート２２ａと不織布製の非肌面側外装シート２２ｂとからなり、この２層の不織布シートを接合してなる。肌面側外装シート２２ａと非肌面側外装シート２２ｂとの間には複数条の中央弾性部材５１が使い捨ておむつ１０の長手方向に延びて配設され、その位置でのみ両シートは接合され、外装シート２２となる。また、本実施形態においては、透湿シート２１と外装シート２２とがこの複数条の中央弾性部材５１の位置で接合されている。液不透過性である透湿シート２１の非肌当接面側に中央弾性部材５１があることにより、排泄後の体液が直接的に中央弾性部材を接合する接着剤に接することはなく、それによる接着剤の剥離等のない配置とされている。なお、本実施形態におけるトップシート１、吸収体３及びバックシート２は平面視において略砂時計形状であり（図２参照）、トップシート１、透湿シート２１及び外装シート２２とは同一の形状である。なお、上記の外装シートと弾性部材及び外装シートと透湿シートとを接合する接着剤はこの種の部材の接着に用いられる通常のものを使用することができ、例えばゴム系ホットメルト、オレフィン系ホットメルト等のホットメルトが挙げられる。
【００１３】
図２に示すように、使い捨ておむつ１０には、吸収体３における幅方向の両側部に沿って長手方向に延びるサイドシート８がトップシート１の上面（肌当接面側）に形成されている。該サイドシート８は、その自由端側に配された一対の起立性防漏カフをなす糸状ないし細紐状のサイドシート弾性部材５２を備えた不織布からなる。各サイドシート８は、股下サイドフラップＳｃの領域において、およそ吸収体３の側縁３ｓの位置（図３参照）からおむつの側縁にかけて、おむつ長手方向（Ｙ方向）の全長にわたってトップシート１及びバックシート２と共に接着固定されている。前記の起立性の防漏カフをなす吸収体側部端縁３ｓより内方の部分はトップシート１に固着されておらず、この防漏カフの自由端８ａ側は、おむつの着用状態において、レッグ弾性部材５３のギャザー形成作用によっておむつ長手方向に沿って立体的に起立するようにされている（図３の一点鎖線参照）。この立体ギャザーとなる起立した防漏カフ８１が肌にしっかりと当接し、排泄物の外部への移行を遮断して横漏れを効果的に防止する。
【００１４】
本実施形態における使い捨ておむつ１０の透湿ギャザー領域Ｗ内には、複数の中央弾性部材５１が配されている。本実施形態において透湿ギャザー領域Ｗは、おむつ長手方向においてはＷ１、幅方向においてはＷ２に囲まれる領域であり、詳細については後述する。本実施形態においては、この領域内に配された中央弾性部材５１の位置に沿って肌面側外装シート２２ａと非肌面側外装シート２２ｂとが接合され（第１接着領域６１、６２）外装シート２２となる。また、外装シート２２と透湿シート２１とは中央弾性部材５１の位置に沿って接合されている（第２接着領域６３）。上述したように使い捨ておむつ等に使用される部材同士を接合するには接着剤や熱圧着等の方法で全面的に接合すると、その接合部分において接着剤を塗布した部分ないし圧着によって接合された部分で透湿性は損なわれる。これに対し本実施形態における使い捨ておむつ１０によれば、前記外装シート２２と透湿シート２１とが、中央弾性部材５１の位置でのみ接合され、また、肌面側外装シート２２ａ及び非肌面側外装シート２２ｂにおいても、接合する部分は中央弾性部材５１の位置で接合されている。これにより透湿性が失われる箇所は第１接着領域６１，６２及び第２接着領域６３の中央弾性部材５１部に沿った狭小な領域とされている。隣り合う弾性部材間のおむつ長手方向に延びる線状の透湿領域６４においては良好な透湿性を有しており、湿った状態になりがちな透湿ギャザー領域Ｗにおいて体表面側から着衣側への湿気の移行ｖが可能であり、成人用のおむつであっても過度にムレることがない。
【００１５】
ここで本実施形態の使い捨ておむつ１０に特有の作用について図４を用いてさらに詳しく説明する。図４は本発明の使い捨ておむつを着用した状態で身体の正中線の位置にて断面を示した断面模式図である。正中線とは身体を歩行方向前方から見たときに左右対称に分割する線である。身体の断面形状はモデル化した外形部分と身体の位置を説明するために尾骨７５を示した。また、使い捨ておむつ１０の装着時の形状については、本発明の実施において必ずしも図示したものと同一の形状にならなくともよい。なお、図中、左側が身体における前側であり、右側が身体における後側である。
【００１６】
本実施形態において肌面側外装シート２２ａと非肌面側外装シート２２ｂとの間に介在された複数の中央弾性部材５１は使い捨ておむつ１０の長手方向に延びて配設されている。一方、幅方向については、複数条の弾性部材がおむつ正中線Ｗｃを跨いで幅方向両側にわたって配列されている。伸張状態にて配設し、接合される中央弾性部材５１は、着用時には使い捨ておむつ１０の長手方向に対して収縮する作用を有する。これにより人体７０の肌面に沿って湾曲した状態で装着することができ、おむつ全体を人体７０の肌面側へ引き寄せ、良好なフィット性を実現する。ここで重要なことは、本実施形態の中央弾性部材５１は外装シート２２に内挿され、しかも吸収体３側の部材と一体となって押さえ込むよう、使い捨ておむつ１０の外周側に配設されていることである。これにより、図４に示したように、おむつを全体的に人体７０に密着させつつ、おむつ長手方向に連続的な波型の隆起部８２、８２が形成される。同時にこの隆起部８２，８２の間に不定形の幅方向に延びる隙間部８１が複数形成される。
本実施形態において人体７０の肌面と使い捨ておむつ１０の透湿ギャザー領域Ｗでは、隆起部８２でのみ肌面に当接し易く、隙間部８１では人体７０の肌面と離間され易いので、上述のように人体７０の肌面と使い捨ておむつ１０の間には複数の隙間が形成され、肌面と当接する部分も面ではなく間欠的な線状となる。本実施形態においてはこの隙間部８１、８１と前述したバックシート側への良好な透湿性とが相互に作用して、つまり使い捨ておむつ１０の幅方向に湿気の経路として機能し人体７０の肌面側の湿気を幅方向に分散させ、さらにこれをおむつの外へ逃がし（湿気の移行ｖ（図３参照））肌面側のムレを効果的に低減する。
【００１７】
本実施形態のおむつ１０（図４参照）では、図示したように排尿ポイント７２（図は女性を例に示している）のあたりから排便ポイント７３を含む股下部Ｃ、さらにはここをすぎ、尾骨域７４に至る浮きがちになる部分で良好なフィット性が得られる。しかも小さな隙間８２が適度に複数形成され程よい透湿性が付与され穿き心地が良い。
【００１８】
さらに、本実施形態におけるギャザー形成効果によりおむつ長手方向に連続して凸凹に形成された隆起部８２及び隙間部８１によって、排泄後の体液がおむつ長手方向に拡散することを防ぐ効果を有する。排泄された体液は排泄部分近傍から重力により下方向に移行することとなる。本実施形態のおむつは凸凹した形状が液の移行方向と直交する方向に連続的に形成され、体液の移行する方向での吸収体当接表面積を多くすることができる。したがって、吸収体３の有効な活用を可能とし、体液の拡散による不快な領域の拡大を留める。また、上記凸凹に形成された隆起部８２及び隙間部８１により適度なクッション性が付与されており、着座時などにおいて良好な着用感を奏する。
【００１９】
本実施形態において透湿ギャザー領域Ｗは中央弾性部材５１が配されている領域と略同一の領域である。透湿ギャザー領域Ｗとは上述したフィット感、透湿性をおむつに付与するために中央弾性部材５１を配する領域である。ただし本発明においては、少なくとも長手方向中央背側基線Ｗｒと長手方向中央腹側基線Ｗｆとに挟まれた股下部Ｃ（排尿ポイント７２及び排便ポイント７３を結ぶ長手方向における領域）内に中央弾性部材５１が配されていればよい。その好ましい範囲については後述する。幅方向においては、本実施形態では透湿ギャザー領域Ｗが吸収体３の最大幅位置３ｗと同一である。ただし本発明においては、少なくとも幅方向中央の領域Ｗｉ−Ｗｉ（吸収体３の最大幅（３ｗ−３ｗ）を幅方向に４等分した領域の１／４〜３／４の中央の領域）に挟まれた領域内に中央弾性部材５１が配されていればよい。
【００２０】
透湿ギャザー領域Ｗの長手方向の位置は使い捨ておむつ１０の長手方向腹側Ｆに偏奇した位置に設定されることが好ましい。これは使い捨ておむつ１０を着用する際、背側Ｒの長手方向端部に中央弾性部材５１を配しそこが収縮して股上を浅くしすぎず、かつ、着用者の腹側で先に述べた良好なフィット性を実現するためである。また、中央弾性部材５１の張力を幅方向における外方領域ｌ１、ｒ１で低く設定し、中央領域ｌ２、ｒ２では高くすることもフィット性を向上させる点で好ましい。これにより足周りの張力を抑えることにより足を動かしやすくし、一方幅方向中央部において特に臀裂にそって身体へ吸収体３をフィットさせることができる。なお、外方領域ｌ１、ｒ１及び中央領域ｌ２、ｒ２については後述する。
【００２１】
透湿ギャザー領域Ｗの大きさ及び位置は特に限定されないが、成人用使い捨ておむつ１０として上述した良好な透湿性を効果的に発揮し、好適なフィット感を考慮すると、透湿ギャザー領域Ｗはおむつの股下部Ｃを跨ぎ腹側部Ｆから背側部Ｒにかけて配設されることが好ましく、その長手方向における長さｗ１は３００〜８００ｍｍが好ましく、５００〜７００ｍｍが更に好ましい。透湿ギャザー領域Ｗの幅方向における長さｗ２は１００〜４００ｍｍが好ましく、１５０〜３５０ｍｍが更に好ましい。また、腹側部Ｆの長手方向長さは５０〜３５０ｍｍが好ましく、１５０〜３００ｍｍが更に好ましい。股下部Ｃの長手方向長さは５０〜３５０ｍｍが好ましく、１５０〜３００ｍｍが更に好ましい。背側部Ｒの長手方向長さは５０〜３５０ｍｍが好ましく、１５０〜３００ｍｍが更に好ましい。また、その長手方向における比率（腹側部Ｆ：股下部Ｃ：背側部Ｒ）は腹側部Ｆを１としたときは、１：１：１が好ましく、１：１．５：０．５であることが更に好ましい。透湿ギャザー領域Ｗの配されていない長手方向背側端縁からの長さｒ１は１００〜３５０ｍｍが好ましく、１５０〜３００ｍｍが更に好ましい。
【００２２】
本実施形態における透湿ギャザー領域Ｗ内に配設される中央弾性部材５１の離間距離、張力及び太さ等は特に限定されないが、上述した好適なフィット性を考慮すると、中央弾性部材５１の最大太さｆ１（図３参照）は０．２〜１０ｍｍであることが好ましく、０．５〜３ｍｍであることがさらに好ましい。中央弾性部材５１の幅方向における離間距離ｆ２は透湿ギャザー領域Ｗを幅方向にて４分割した領域ｌ１、ｌ２、ｒ１、ｒ２でそれぞれ変えても良い。外方領域ｌ１、ｒ１での中央弾性部材５１の幅方向における離間距離ｆ２は２０ｍｍとすることが好ましく、３０ｍｍとすることがさらに好ましい。中央領域ｌ２、ｒ２での中央弾性部材５１の幅方向における離間距離ｆ２は１５ｍｍであることが好ましく、１０ｍｍであることがさらに好ましい。また、透湿ギャザー領域Ｗを幅方向にて４分割した領域ｌ１、ｌ２、ｒ１、ｒ２での、幅方向中央領域（ｌ２、ｒ２を合わせた領域）と幅方向外方領域（ｌ１、ｒ１を合わせた領域）との間で弾性伸縮特性を異ならせることにより、フィット性を調整することが可能である。たとえば透湿ギャザー領域の幅方向外方領域ｒ１、ｌ１の最大伸長率を１としたとき、透湿ギャザー領域幅方向中央領域ｒ２、ｌ２の最大伸長率を１．２以上３．０以下とすることが好ましい。これは、透湿ギャザー領域Ｗが股下部Ｃにおいてその幅方向に広く設けられている場合、たとえば全幅に対して７０％以上の領域に亘って設けられているような場合に特に有効である。
ここで、最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ）｝×１００％・・・（１）
測定は以下のように行った。幅方向中央領域と幅方向外方領域各々について、長手方向に対して中央弾性部材５１が配されている領域全体を切り出し、中央弾性部材５１とバックシート５だけが接合されたものをサンプルとして準備する。サンプルの自然状態（収縮状態）において長手方向に１００ｍｍの間隔の目印を付け、これを伸長前の長さとする。次いで、このサンプルを長手方向に伸長させて、目印の間隔を測定し、伸長後の長さとする。測定結果を上記式（１）に挿入して最大伸長率を算出する。
伸長率を異ならせる方法としては、中央弾性部材５１の幅方向における離間距離ｆ２を幅方向中央領域と幅方向外方領域との間で異ならせることが挙げられる。この場合、外方領域ｌ１、ｒ１での中央弾性部材５１の幅方向における離間距離ｆ２は２０ｍｍとすることが好ましく、３０ｍｍとすることがさらに好ましい。中央領域ｌ２、ｒ２での中央弾性部材５１の幅方向における離間距離ｆ２は１５ｍｍであることが好ましく、１０ｍｍであることがさらに好ましい。また、弾性部材の配置は個々の弾性部材の伸長率によって調製してもよい。
【００２３】
本発明において透湿ギャザー領域Ｗ内に形成される透湿領域６３と接着領域６１、６２との面積比率は特に限定されないが、以下の関係であることが好ましい。おむつ平面視において（図２参照）、吸収体と透湿ギャザー領域Ｗとが重なった領域を、吸収体透湿領域Ｗｋと定義する。このとき、同領域Ｗｋにおいて弾性部材を介して肌面側外装シート２２ａと非肌面側外装シート２２ｂとが接合された第１接着領域６１（６２）、６１（６２）．．．と、透湿シート２１と外装シート２２とが接合された第２接着領域６３、６３．．．との面積をｄ１、ｄ２、ｄ３、．．．．ｄｎとする。その総和がΣｄｎである。このとき、第１接着領域６１、６２と第２接着領域６３とが平面視において重合している場合には、平面視において幅方向に広い領域の面積を選択し、総和をとる。一方、上記吸収体透湿領域Ｗｋにおいて弾性部材間で接着剤の付されていない透湿領域６４、６４．．．の面積をｅ１、ｅ２、ｅ３、．．．．ｅｎとすると、その総和はΣｅｎとなる。上述した良好な透湿性を考慮すると、吸収体透湿領域Ｗｋにおける透湿領域６４の総和（Σｅｎ）を、第１接着領域６１，６２及び第２接着領域６３の幅方向の総和（Σｄｎ）より広くする（Σｅｎ＞Σｄｎ）ことが好ましい。また両者の比率（Σｅｎ／Σｄｎ）を１超１５０以下であることが好ましく、３〜６０とすることがより好ましい。さらに吸収体透湿領域Ｗｋに対する透湿領域の総和Σｅｎの比率（Σｅｎ／Ｗｋ）は１〜１０であることが好ましい。
【００２４】
本実施形態における中央弾性部材５１を肌面側外装シート２２ａと非肌面側外装シート２２ｂとの間に介在接合する方法は特に限定されないが、中央弾性部材５１にホットメルト等の接着剤をあらかじめ塗布し、肌面側外装シート２２ａもしくは非肌面側外装シート２２ｂに配設してもよく、肌面側外装シート２２ａ及び非肌面側外装シート２２ｂにあらかじめ中央弾性部材５１の配設位置に線状もしくは点状に接着剤を塗布し中央弾性部材５１を配設した後、貼り合わせてもよい。このとき、前記中央弾性部材５１に接着剤を塗布しておく方法が、図３（ｂ）のように弾性部材の幅ｆ１と第１接着領域６１，６２の幅を一致させ、透湿領域６４の幅ｆ２を広く確保する点で好ましい。
【００２５】
本実施形態の使い捨ておむつの使用時の利便性を考慮して中央弾性部材５１にマーキング機能を有していることも好ましい。例えば、おむつを幅方向に２等分する中央部分（正中線）Ｗｃに色の違う中央弾性部材５１ａを組み込むことにより、おむつの幅方向における中心線を示すことができる。特に成人用の使い捨ておむつの場合、寝たきりの要介助者等に着用する場合も多く、介助者がおむつの中心線を確認することが必要である。正しいおむつの着用状態を確認することにより、モレなどの不都合を防ぎ、上述した本発明における良好な作用効果を有効に活用することができる。また、透湿シート２１に消臭機能を付与することも好ましい。これは本実施形態における使い捨ておむつ１０は、良好なおむつ厚さ方向への透湿性を有し、着用者にとって高い快適性を実現している。その一方、高い透湿性は外部への尿臭気等の心配を生じるが、透湿シート２１に消臭機能を付与することにより臭気は抑えられ、その心配は解消されることとなる。
【００２６】
本発明の吸収性物品は、上記の実施形態に制限されるものではなく、おむつカバー、生理用ナプキン、失禁パッド、失禁ライナ等に本発明を適応することができる。さらに、尿に限らずその他、経血、おりもの、軟便等に対しても効果的である。中央弾性部材５１の配設パターンは直線状だけではなく、曲線状やジグザグ等上記実施形態に限定されることはなく、使用状況や要求に合わせ適宜定められることが好ましい。なお、トップシート１、吸収体３、バックシート２の他にも透湿性を阻害しない素材を適宜組み込むことも好ましい。また、上記実施形態の使い捨ておむつのトップシート１、吸収体３及びバックシート２の材料、製法における条件や、製品の寸法緒言は特に限定されない。
【００２７】
次に本発明の別の実施形態であるおむつカバー等の着用カバーについて好ましい実施形態で説明する。基本的な構成は、上記成人用おむつを参照するこができ、とくに透湿シート及び外装シートと吸収体との関係はおむつのときと共通する。詳述すると、本実施形態の着用カバーは、腹側部と背側部と該両部の間に位置する股下部とからなり、肌面側に配される透湿シートとその非肌面側を被覆する２層以上の不織布層からなる外装シートを有し、前記不織布層の間には複数条の弾性部材が前記吸収性物品の長手方向に延びて配列され、かつその両不織布層は前記弾性部材を介して接合され、他方、その弾性部材がある位置及び／又はその間には前記外装シートと前記透湿シートとを接合する吸収性物品長手方向に延びる接合部が配列され、前記透湿シートと前記外装シートとを介して前記吸収体から吸収性物品外部へつながる透湿性を示す長手方向に延びる透湿領域がある。この着用カバーは、その内方に、内部に吸収体を有する吸収パッドを配置して装着することができる。このときに、前記複数条の弾性部材が配設された領域は前記吸収パッドの吸収体の幅方向においてその全域にわたり、該弾性部材配設領域と前記吸収体の重合領域Ｗｋにおいて、前記弾性部材がなく前記透湿シートと前記外装シートとが接合されていない透湿領域の面積の総和（Σｅｎ）が、前記外装シートの間が前記弾性部材を介して接合された領域及び、前記透湿シートと前記外装シートとが接合された領域の総和（Σｄｎ）より広くなるようにされていることが好ましい。このような、着用カバーを構成する透湿シート、外装シート、及び弾性部材と、吸収パッドの吸収体との関係は前記実施形態のおむつと共通し、例えば図２を参照することができる。
【００２８】
中央弾性部材５１，やサイドシート弾性部材５２、レッグ弾性部材５３には、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
【００２９】
トップシート１は、排泄された体液を速やかに吸収し、吸収体に伝達する観点と肌触りのよさの観点とから親水性のサーマルボンド不織布が好ましく、特にエアスルー不織布が好ましい。トップシート１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００３０】
透湿シート２１は、透湿性フィルム単独、又はフィルムと不織布の貼り合わせ、撥水性の不織布（ＳＭＳやＳＭＭＳ等）を用いることができる。コスト面などから、透湿フィルム単独を防漏材として用いることが最も好ましい。この場合のフィルム材としては、熱可塑性樹脂と、これと相溶性のない無機フィラーを溶融混練して押し出したフィルムを所定の寸法に延伸して微細孔（孔径０．１μｍ〜５．０μｍ）をあけたフィルム、または、本質的に水分の相溶性が高く、浸透膜のように水蒸気排出可能な無孔性のフィルムが挙げられる。本発明に関わる湿度排出の性能を十分に発現し、かつ、水分のにじみ出しがない防漏層を具現化するには、透湿度は、０．７〜３．０ｇ／１００ｃｍ２ｈｒの範囲にあることが好ましく、１．０〜２．５の範囲にあることが更に好ましい。さらっと感を十分に高める観点からは１．５〜２．５にあることが最も好ましい。また、フィルムの破れ等のトラブルなく使用可能であるためには、フィルム坪量は１８〜７０ｇ／ｍ２、より好ましくは２５〜６０ｇ／ｍ２である。また好ましい無機フィラー配合量は、フィルム全体の質量に対するフィラーの質量％として３０〜６５質量％、より好ましくは４０〜６０質量％である。
【００３１】
外装シート２２としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を積層して使用することができる。
【００３２】
吸収体３は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア２０は、その型崩れやポリマー粒子の脱落を防ぐため、その全体がティッシュペーパーや親水性繊維不織布等の透液性シートに被覆されていることが好ましい。ポリマー粒子としては、デンプン系、セルロース系、合成ポリマー系のものを使用することができる。
【符号の説明】
【００３３】
１  トップシート
２  バックシート
２１  透湿シート
２２  外装シート
３  吸収体
４  ファスニングテープ
８  サイドシート
１０  使い捨ておむつ
５１  中央弾性部材
５２  サイドシート弾性部材
５３  レッグ弾性部材
６１、６２、６３  接着領域
６４  透湿領域
７０  人体
８１  隙間部
８２  隆起部
【図１】
0005536413.tif 000002
【図２】
0005536413.tif 000003
【図３】
0005536413.tif 000004
【図４】
0005536413.tif 000005